(57)【要約】【課題】ユーザが所望する情報を的確に提供することができる情報提供装置を提供する。【解決手段】情報提供装置は、情報分類部２により、情報を類似分野に分類するための情報が格納された情報分類辞書２１を参照して、ユーザにより取得された情報をその類似する分野に分類し、分類情報管理部３により、類似する分野に分類された情報を管理し、関係情報管理部４により、類似する分野の関係が階層化されて格納された情報関係辞書４１を参照してユーザにより取得された情報が分類された類似する分野の関係を管理し、情報提示部５により、ユーザからの提示条件に基づいて、管理される情報から対応する情報を抽出し、該抽出された情報を情報表示部５１に表示する。【選択図】      図１
2004178305.tif 000002
【特許請求の範囲】
【請求項１】
情報を類似分野に分類するための情報が格納された情報分類辞書と、
前記情報分類辞書を参照して、ユーザにより取得された情報をその類似する分野に分類する情報分類手段と、
前記情報分類手段により類似する分野に分類された情報を管理する分類情報管理手段と、
類似する分野の関係が階層化されて格納された情報関係辞書と、
前記情報関係辞書を参照して前記情報分類手段により前記ユーザにより取得された情報が分類された類似する分野の関係を管理する関係情報管理手段と、
ユーザからの提示条件に基づいて、前記分類情報管理手段および前記関係情報管理手段により管理される情報から対応する情報を抽出し、該抽出された情報を前記ユーザに提示する情報提示手段と
を備えることを特徴とする情報提供装置。
【発明の詳細な説明】
【０００１】
【発明の属する技術分野】
本発明は、ユーザが所望する情報を提示するための情報提供装置に関する。
【０００２】
【従来の技術】
従来、ユーザに情報を提供するシステムとして、ユーザが取得した情報に対して、ユーザ毎に管理し、または情報を共有するユーザのユーザ情報によりグループ管理し、あるいは類似する情報によるグループ管理を個別に行い、ユーザが必要な情報を提供、配信またはフィルタリングするものがある。
【０００３】
【発明が解決しようとする課題】
しかしながら、上述した従来のシステムにおいては、ユーザが必要とする情報の条件（例えば、情報検索方法を使用する場合の検索条件など）がユーザによって異なるので、上記条件に基づいてユーザが必要とする情報を常に的確に抽出して提供しまたは配信することができない。
【０００４】
また、情報がユーザ情報によりグループ管理されている場合には、ユーザに対して必要がない情報が提供または配信されることになる。逆に、ユーザが必要とする情報がフィルタリングされて、ユーザに必要な情報が提供または配信されないことがある。
【０００５】
また、類似する情報がグループ管理されている場合には、通常、ユーザに関係がある情報として大量の情報がユーザに提供または配信されることがある。逆に、フィルタリングにより、ユーザに提供または配信される情報が非常に少量になることがある。
【０００６】
本発明の目的は、ユーザが所望する情報をユーザに的確に提供することができる情報提供装置を提供することにある。
【０００７】
【課題を解決するための手段】
本発明は、上記目的を達成するため、情報を類似分野に分類するための情報が格納された情報分類辞書と、前記情報分類辞書を参照して、ユーザにより取得された情報をその類似する分野に分類する情報分類手段と、前記情報分類手段により類似する分野に分類された情報を管理する分類情報管理手段と、類似する分野の関係が階層化されて格納された情報関係辞書と、前記情報関係辞書を参照して前記情報分類手段により前記ユーザにより取得された情報が分類された類似する分野の関係を管理する関係情報管理手段と、ユーザからの提示条件に基づいて、前記分類情報管理手段および前記関係情報管理手段により管理される情報から対応する情報を抽出し、該抽出された情報を前記ユーザに提示する情報提示手段とを備えることを特徴とする。
【０００８】
【発明の実施の形態】
以下、本発明の実施形態について図面を参照しながら説明する。
【０００９】
（第１実施形態）
図１は本発明の第１実施形態に係る情報提供装置の構成を示すブロック図である。
【００１０】
情報提供装置は、図１に示すように、情報取得部１、情報分類部２、情報分類辞書２１、分類情報管理部３、分類情報テーブル３１、関係情報管理部４、情報関係辞書４１、関係情報テーブル４２、情報提示部５、および情報表示部５１を備える。ここで、情報提供装置は、ＰＣ（Ｐｅｒｓｏｎａｌ  Ｃｏｍｐｕｔｅｒ）およびそれに接続されている周辺機器（モニター、キーボード）などから構成され、上記各ブロックのうち、情報取得部１、情報分類部２、情報分類辞書２１、分類情報管理部３、分類情報テーブル３１、関係情報管理部４、情報関係辞書４１、関係情報テーブル４２、情報提示部５などのブロックは、ＣＰＵによりハードディスクなどに予め格納されているプログラムを読み出して実行することにより、構成されるものである。
【００１１】
情報取得部１は、ユーザが電子化情報から必要な情報を取得するための手段である。ここで、情報の取得とは、インターネットまたはＬＡＮ（Ｌｏｃａｌ  Ａｒｅａ  Ｎｅｔｗｏｒｋ）を介して情報にアクセスすること、その情報をダウンロードすること、サーバまたはＰＣ上のデータベースなどに保持されている情報にアクセスすること、その情報を取り込むこと、または情報をプリントアウトすることをいう。また、ユーザが取得する情報は、ファイル名、ファイル、ＵＲＬ名などである。本実施形態では、ユーザが取得する情報がファイル（ファイル名を含む）である場合を説明する。
【００１２】
情報分類部２は、情報分類辞書２１を参照して情報取得部１で取得された情報を類似する分野に分類するための手段である。情報分類辞書２１には、上記取得された情報を類似する分野に分類するための情報が格納されている。本実施形態では、ファイルを類似する分野に分類するための情報が格納されているが、例えばユーザにより取得される情報がＵＲＬ名またはファイル名のみとする場合、情報分類辞書として、ＵＲＬ名またはファイル名のみを類似する分野に分類するための情報が格納されている辞書を用いればよい。
【００１３】
分類情報管理部３は、情報分類部２で類似する分野に分類された情報に基づいて分類情報テーブル３１を更新する。分類情報テーブル３１には、分野毎に、ファイル名をキーとして、情報取得回数および情報取得時間の累計が記述されているテーブルであり、情報取得回数および情報取得時間の累計が更新されることになる。ここで、情報取得回数とは、上記ファイル名のファイルにアクセスした回数であり、情報取得時間の累計とは、上記ファイル名のファイルへのアクセスに要した時間の累計である。また、ユーザにより取得される情報がＵＲＬ名、ファイル名のみとする場合、ＵＲＬ名またはファイル名をキーとして、情報取得回数および情報取得時間の累計が記述されているテーブルが、分類情報テーブル３１として用いられる。
【００１４】
関係情報管理部４は、情報関係辞書４１を参照して情報分類部２で情報が分類された類似する分野の関係を抽出し、その関係に基づいて関係情報テーブル４２を更新する。ここで、情報関係辞書４１には、類似する分野の関係が、階層化されたツリー構造により格納されている。また、関係情報テーブル４２には、類似する分野の関係が階層的に記述されている。
【００１５】
情報提示部５は、分類情報テーブル３１および関係情報テーブル４２を参照してユーザからの情報提示条件に応じた情報を取得し、この情報を情報表示部５１に出力する。情報表示部５１は、情報提示部５で取得された情報を表示する。
【００１６】
次に、本情報提供装置の動作について図２ないし図８を参照しながら説明する。図２は図１の情報提供装置の動作の手順を示すフローチャート、図３はユーザが取得する情報の一例を示す図、図４は情報分類辞書２１の一例を示す図、図５は分類情報テーブルの一例を示す図、図６は情報関係辞書４１の一例を示す図、図７は関係情報テーブル４２の一例を示す図、図８は図２のステップＳ１３での表示例を示す図である。
【００１７】
情報提供装置においては、図２に示すように、まずステップＳ１において、ユーザによる情報取得を行うのか否かを判定する。ここで、情報取得を行うならば、ステップＳ２において、情報取得部１は、ユーザの入力に応じてこのユーザが必要とする情報を電子化情報から取得する。ここでは、例えば図３に示すように、「横浜ペンギンズ．ｄｏｃ」というファイル名のファイルがユーザにより取得されたとする。
【００１８】
次いで、ステップＳ３において、情報分類部２は、情報を類似する分野に分類するための情報が格納されている情報分類辞書２１から情報を取得する。情報分類辞書２１には、例えば図４に示すように、類似する分野「Ｊセリエ１」とそれに対応する情報としての「横浜ペンギンズ」、「川崎シーホークス」、「名古屋ロケッツ」、「ＡＣ札幌」、「東京ベアーズ」、「長崎マリナーズ」、「大阪ライオンズ」、および類似する分野「サッカー」とそれに対応する情報としての「プロリーグ」、「横浜ペンギンズ」が格納されている。
【００１９】
そして、ステップＳ４において、情報分類部２は、上記ステップＳ３で情報分類辞書２１から取得された情報に基づいて、上記ステップＳ２で取得された情報を、類似する分野に分類する。例えば、上記ステップＳ２で取得された情報が「横浜ペンギンズ．ｄｏｃ」というファイル名のファイルであるならば、この取得された情報はファイル名およびその内容から分野「Ｊセリエ１」および「サッカー」に分類される。
【００２０】
次いで、ステップＳ５において、分類情報管理部３は、上記ステップＳ４で類似する分野に分類された情報に基づいて、分野毎に分類情報テーブル３１を更新する。例えば図５に示すような分類情報テーブル３１の中の「Ｊセリエ１」に対して、ファイル名「横浜ペンギンズ．ｄｏｃ」をキーとして、情報取得回数および情報取得時間の累計を更新する。
【００２１】
次いで、ステップＳ６において、関係情報管理部４は、類似する分野の関係が階層化されたツリー構造により格納されている情報関係辞書４１から、情報を取得する。例えば図６に示すような情報関係辞書４１から分野「Ｊセリエ１」をキーとして、上位分野「スポーツ」および下位分野「サッカー」、「バレーボール」、「ラグビー」の情報が取得される。
【００２２】
そして、ステップＳ７において、関係情報管理部４は、ステップＳ６の情報関係辞書４１から取得した情報に基づいて、上記ステップＳ４で情報が分類された類似する分野間の関係を取得する。例えば、分野「Ｊセリエ１」は分野「サッカー」の上位分野の関係にある。
【００２３】
次いで、ステップＳ８において、関係情報管理部４は、上記ステップＳ７で取得した類似する分野間の関係に基づいて、関係情報テーブル４２を更新する。例えば、図７に示すように、関係情報テーブル４２に対して、上位分野「Ｊセリエ１」と、それに対応する下位分野「サッカー」が追加される。そして、処理は上記ステップＳ１に戻る。
【００２４】
上記ステップＳ１で情報の取得が行われないと判定された場合、ステップＳ９において、ユーザに対して情報提示を行うか否かを判定する。ユーザに対して情報提示を行わない場合は、本処理を終了する。これに対し、ユーザに対して情報提示を行う場合、ステップＳ１０において、情報提示部６がユーザにより入力された情報提示条件に基づいて分類情報テーブル３１の情報を取得する。例えば、ユーザにより「Ｊセリエ１」という情報提示条件が入力された場合は、図５に示す分類情報テーブルの「Ｊセリエ１」の分類されているファイル名「横浜ペンギンズ．ｄｏｃ」、「東京ベアーズ．ｄｏｃ」、「大阪ライオンズ．ｄｏｃ」と、それぞれに対する情報取得回数および情報取得時間の累計の情報とが取得される。
【００２５】
次いで、ステップＳ１１において、情報提示部６は、関係情報テーブル４２の情報を取得する。例えば、「Ｊセリエ１」という情報提示条件が入力された場合は、図７に示す関係情報テーブルから分野「Ｊセリエ１」と、それに対応する下位分野「サッカー」の情報とが取得される。
【００２６】
そして、ステップＳ１２において、情報提示部６は、上記ステップＳ１０で分類情報テーブル３１から取得された情報および上記ステップＳ１１で関係情報テーブル４２から取得された情報を、ユーザに提示する情報として取得して情報表示部５１に出力する。
【００２７】
次いで、ステップＳ１３において、情報表示部５１は、上記ステップＳ１２で取得された情報を表示する。例えば、図８に示すように、分類情報テーブル３１の「Ｊセリエ１」に分類されているファイル名「横浜ペンギンズ．ｄｏｃ」、「東京ベアーズ．ｄｏｃ」、「大阪ライオンズ．ｄｏｃ」と、関係情報テーブル４２から取得した分野「Ｊセリエ１」と、その分野に関係のある分野としての「サッカー」、「バレーボール」とが表示される。
【００２８】
このように、本実施形態では、ユーザが取得した情報を類似する分野に分類し、また類似する分野の関係を階層的に管理し、ユーザが情報提示条件に基づいて、管理されている情報から対応する情報を抽出するので、ユーザが所望する情報を的確に提供することができる。
【００２９】
（第２実施形態）
次に、本発明の第２実施形態について図９を参照しながら説明する。図９は本発明の第２実施形態に係る情報提供装置における情報提示画面の一例を示す図である。本実施形態は、上記第１実施形態と同じ構成を有し、ここでは、その説明は省略する。また、以降の説明は、図１の符号を用いて行うものとする。
【００３０】
本実施形態は、上述の第１実施形態に対し、ユーザに情報を提示する際に、その情報を情報取得回数が多い順に並び替えて表示する点で異なる。
【００３１】
具体的には、ステップＳ１２において、情報提示部６は、上記ステップＳ１０で分類情報テーブル３１から取得された情報および上記ステップＳ１１で関係情報テーブル４２から取得された情報を、ユーザに提示する情報として取得して情報表示部５１に出力する。ここで、分類情報テーブル３１から取得された情報は、情報取得回数が多い順に並べ替えられて出力される。そして、ステップＳ１３において、情報表示部５１は、上記ステップＳ１２で取得された情報を表示する。例えば、図９に示すように、分類情報テーブル３１から「Ｊセリエ１」に対応する情報として取得された情報「横浜ペンギンズ．ｄｏｃ」、「大阪ライオンズ．ｄｏｃ」、「東京ベアーズ．ｄｏｃ」と、関係情報テーブル４１から取得された分野「Ｊセリエ１」とそれの関係分野「サッカー」、「バレーボール」とが表示される。ここで、分類情報テーブル３１から取得された情報「横浜ペンギンズ．ｄｏｃ」（１７回）、「大阪ライオンズ．ｄｏｃ」（１２回）、「東京ベアーズ．ｄｏｃ」（５回）は、情報取得回数が多い順に表示されることになる。
【００３２】
このように、本実施形態では、ユーザに提供する情報を情報取得回数が多い順に並べ替えて表示するので、ユーザに提供する情報のうち、情報の取得回数が多い情報を必要性が高い情報とみなして優先的にユーザに提供することができる。
【００３３】
（第３実施形態）
次に、本発明の第３実施形態について図１０を参照しながら説明する。図１０は本発明の第３実施形態に係る情報提供装置における情報提示画面の一例を示す図である。本実施形態は、上記第１実施形態と同じ構成を有し、ここでは、その説明は省略する。また、以降の説明は、図１の符号を用いて行うものとする。
本実施形態は、上述の第１実施形態に対し、ユーザに情報を提示する際に、その情報を情報取得時間の累計が長い順に並び替えて表示する点で異なる。
【００３４】
具体的には、ステップＳ１２において、情報提示部６は、上記ステップＳ１０で分類情報テーブル３１から取得された情報および上記ステップＳ１１で関係情報テーブル４２から取得された情報を、ユーザに提示する情報として取得して情報表示部５１に出力する。ここで、分類情報テーブル３１から取得された情報は、情報取得時間の累計が長い順に並べ替えられて出力される。そして、ステップＳ１３において、情報表示部５１は、上記ステップＳ１２で取得された情報を表示する。例えば、図１０に示すように、分類情報テーブル３１から「Ｊセリエ１」に対応する情報として取得された情報「横浜ペンギンズ．ｄｏｃ」、「大阪ライオンズ．ｄｏｃ」、「東京ベアーズ．ｄｏｃ」と、関係情報テーブル４１から取得された分野「Ｊセリエ１」とそれの関係分野「サッカー」、「バレーボール」とが表示される。ここで、分類情報テーブル３１から取得された情報「東京ベアーズ．ｄｏｃ」（２時間５３分３２秒）、「横浜ペンギンズ．ｄｏｃ」（１時間１６分４１秒）、「大阪ライオンズ．ｄｏｃ」（４９分５１秒）は、情報取得時間の累計が長い順に表示されることになる。
【００３５】
このように、本実施形態では、ユーザに提供する情報を情報取得時間の累計が長い順に並べ替えて表示するので、ユーザに提供する情報のうち、情報取得時間の累計が長い情報を必要性が高い情報とみなして優先的にユーザに提供することができる。
【００３６】
（第４実施形態）
次に、本発明の第４実施形態について図１１および図１２を参照しながら説明する。図１１は本発明の第４実施形態に係る情報提供装置における分類情報テーブル３１の一例を示す図、図１２は本発明の第４実施形態に係る情報提供装置における情報提示画面の一例を示す図である。本実施形態は、上記第１実施形態と同じ構成を有し、ここでは、その説明は省略する。また、以降の説明は、図１の符号を用いて行うものとする。
【００３７】
本実施形態は、上述の第１実施形態に対し、分類情報テーブル３１として、分野毎に、ファイル名をキーとして、最終情報取得時間を管理するテーブルを用いるとともに、ユーザに情報を提示する際に、その情報を最終情報取得時間が現在の時間と近い順に並べ替えて表示する点で異なる。
【００３８】
具体的には、分類情報テーブル３１が、分野毎に、ファイル名をキーとして、最終情報取得時間を管理するテーブルからなるので、ステップＳ５において、分類情報管理部３がステップＳ４で類似する分野に分類された情報に基づいて、分野毎に分類情報テーブル３１を更新する際には、最終情報取得時間が更新される。例えば、図１１に示すような分類情報テーブル３１の「Ｊセリエ１」に対しては、ファイル名「横浜ペンギンズ．ｄｏｃ」をキーとして、最終情報取得時間が更新されることになる。
【００３９】
次に、本実施形態においてユーザが情報提供を受ける場合について説明する。ユーザが情報提供を受ける場合、ステップＳ１０において、情報提示部６は、分類情報テーブル３１から対応する情報を取得する。例えば、ユーザが「Ｊセリエ１」についての情報提示を受ける場合、図１１のような分類情報テーブルの「Ｊセリエ１」に対応するファイル名「横浜ペンギンズ．ｄｏｃ」、「東京ベアーズ．ｄｏｃ」、「大阪ライオンズ．ｄｏｃ」と、それぞれに対応する最終情報取得時間とが取得される。続いて、ステップＳ１１において、情報提示部６は、関係情報テーブル４２の情報を取得する。例えば、図７に示す関係情報テーブルから分野「Ｊセリエ１」と、それに対応する下位分野「サッカー」の情報とが取得される。
【００４０】
次いで、ステップＳ１２において、情報提示部６は、上記ステップＳ１０で分類情報テーブル３１から取得された情報および上記ステップＳ１１で関係情報テーブル４２から取得された情報を、ユーザに提示する情報として取得して情報表示部５１に出力する。ここで、分類情報テーブル３１から取得された情報は、最終情報取得時間が現在の時間と近い順に並べ替えられて出力される。そして、ステップＳ１３において、情報表示部５１は、上記ステップＳ１２で取得された情報を表示する。例えば、図１２に示すように、分類情報テーブル３１から「Ｊセリエ１」に対応する情報として取得された情報「横浜ペンギンズ．ｄｏｃ」、「大阪ライオンズ．ｄｏｃ」、「東京ベアーズ．ｄｏｃ」と、関係情報テーブル４１から取得された分野「Ｊセリエ１」とそれの関係分野「サッカー」、「バレーボール」とが表示される。ここで、分類情報テーブル３１から取得された情報「横浜ペンギンズ．ｄｏｃ」（２０００年１２月２５日１６時４１分）、「東京ベアーズ．ｄｏｃ」（２０００年８月５日１３時３２分）、「大阪ライオンズ．ｄｏｃ」（１９９８年２月１０日１９時５１分）は、最終情報取得時間が現在の時間と近い順に並べ替えられて表示されることになる。
【００４１】
このように、本実施形態では、ユーザに提供する情報を最終情報取得時間が現在の時間と近い順に並べ替えて表示するので、ユーザに提供する情報のうち、最終情報取得時間が現在の時間と近い情報を必要性が高い情報とみなして優先的にユーザに提供することができる。
【００４２】
なお、上述の各実施形態では、ユーザが取得する情報がファイル名である場合を説明したが、例えば情報の取得として、情報をダウンロードする場合または情報をプリントアウトする場合、その情報のダウンロード回数（情報のダウンロードに要した時間の累計、ダウンロード時の時系列）、またはその情報のプリントアウト回数（情報のプリントアウトに要した時間の累計、情報のプリント時の時系列）を用いて情報の管理を行うようにしてもよい。
【００４３】
また、本発明の目的は、前述した各実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００４４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【００４５】
以下に、本発明の実施態様を列挙する。
【００４６】
「実施態様１」  情報を類似分野に分類するための情報が格納された情報分類辞書と、前記情報分類辞書を参照して、ユーザにより取得された情報をその類似する分野に分類する情報分類手段と、前記情報分類手段により類似する分野に分類された情報を管理する分類情報管理手段と、類似する分野の関係が階層化されて格納された情報関係辞書と、前記情報関係辞書を参照して前記情報分類手段により前記ユーザにより取得された情報が分類された類似する分野の関係を管理する関係情報管理手段と、ユーザからの提示条件に基づいて、前記分類情報管理手段および前記関係情報管理手段により管理される情報から対応する情報を抽出し、該抽出された情報を前記ユーザに提示する情報提示手段とを備えることを特徴とする情報提供装置。
【００４７】
「実施態様２」  前記ユーザにより取得された情報はファイル名、ＵＲＬ名、ファイルのいずれかであることを特徴とする実施態様１記載の情報提供装置。
【００４８】
「実施態様３」  前記ユーザによる情報の取得とは、情報にアクセスしたこと、情報をダウンロードしたこと、情報をプリントアウトしたことのいずれかであることを特徴とする実施態様１記載の情報提供装置。
【００４９】
「実施態様４」  前記情報分類辞書には、ファイル名、ＵＲＬ名、ファイルのいずれかを類似する分野に分類するための情報が格納されていることを特徴とする実施態様３記載の情報提供装置。
【００５０】
「実施態様５」  前記分類情報管理手段は、所定の管理情報を用いて、前記情報分類手段により類似する分野に分類された情報を管理することを特徴とする実施態様３記載の情報提供装置。
【００５１】
「実施態様６」  前記所定の管理情報は、前記情報のアクセス回数、前記情報のダウンロード回数、前記情報のプリントアウト回数のいずれかの回数情報であることを特徴とする実施態様５記載の情報提供装置。
【００５２】
「実施態様７」  前記所定の管理情報は、前記情報のアクセスに要した時間の累計、前記情報のダウンロードに要した時間の累計、前記情報のプリントアウトに要した時間の累計のいずれかの時間累計情報であることを特徴とする実施態様５記載の情報提供装置。
【００５３】
「実施態様８」  前記所定の管理情報は、前記情報のアクセス時の時間の時系列、前記情報のダウンロード時の時間の時系列、前記情報のプリントアウト時の時間の時系列のいずれかの時系列情報であることを特徴とする実施態様５記載の情報提供装置。
【００５４】
「実施態様９」  前記情報提示手段は、前記分類情報管理手段が前記所定の管理情報として用いる前記回数情報に応じて前記抽出された情報の提示順位を決定することを特徴とする実施態様６記載の情報提供装置。
【００５５】
「実施態様１０」  前記情報提示手段は、前記分類情報管理手段が前記所定の管理情報として用いる前記時間累計情報に応じて前記抽出された情報の提示順位を決定することを特徴とする実施態様７記載の情報提供装置。
【００５６】
「実施態様１１」  前記情報提示手段は、前記分類情報管理手段が前記所定の管理情報として用いる前記時系列情報に応じて前記抽出された情報の提示順位を決定することを特徴とする実施態様８記載の情報提供装置。
【００５７】
「実施態様１２」  情報を類似分野に分類するための情報が格納された情報分類辞書を参照して、ユーザにより取得された情報をその類似する分野に分類する情報分類工程と、前記情報分類工程により類似する分野に分類された情報を管理する分類情報管理工程と、類似する分野の関係を階層化されて格納された情報関係辞書を参照して前記情報分類工程により前記ユーザにより取得された情報が分類された類似する分野の関係を管理する関係情報管理工程と、ユーザからの提示条件に基づいて、前記分類情報管理工程および前記関係情報管理工程により管理される情報から対応する情報を抽出し、該抽出された情報を前記ユーザに提示する情報提示工程とを備えることを特徴とする情報提供方法。
【００５８】
「実施態様１３」  情報を類似分野に分類するための情報が格納された情報分類辞書を参照して、ユーザにより取得された情報をその類似する分野に分類する情報分類ステップと、前記情報分類ステップにより類似する分野に分類された情報を管理する分類情報管理ステップと、類似する分野の関係を階層化されて格納された情報関係辞書を参照して前記情報分類ステップにより前記ユーザにより取得された情報が分類された類似する分野の関係を管理する関係情報管理ステップと、ユーザからの提示条件に基づいて、前記分類情報管理ステップおよび前記関係情報管理ステップにより管理される情報から対応する情報を抽出し、該抽出された情報を前記ユーザに提示する情報提示ステップとを備えることを特徴とするプログラム。
【００５９】
「実施態様１４」  実施態様１３記載のプログラムをコンピュータ読み取り可能に格納したことを特徴とする記憶媒体。
【００６０】
【発明の効果】
以上説明したように、本発明によれば、情報を類似分野に分類するための情報が格納された情報分類辞書を参照して、ユーザにより取得された情報をその類似する分野に分類し、類似する分野に分類された情報を管理し、類似する分野の関係が階層化されて格納された情報関係辞書を参照してユーザにより取得された情報が分類された類似する分野の関係を管理し、ユーザからの提示条件に基づいて、管理されている情報から対応する情報を抽出し、該抽出された情報をユーザに提示するので、ユーザが所望する情報を的確に提供することができる。
【図面の簡単な説明】
【図１】本発明の第１実施形態に係る情報提供装置の構成を示すブロック図である。
【図２】図１の情報提供装置の動作の手順を示すフローチャートである。
【図３】ユーザが取得する情報の一例を示す図である。
【図４】情報分類辞書２１の一例を示す図である。
【図５】分類情報テーブルの一例を示す図である。
【図６】情報関係辞書４１の一例を示す図である。
【図７】関係情報テーブル４２の一例を示す図である。
【図８】図２のステップＳ１３での表示例を示す図である。
【図９】本発明の第２実施形態に係る情報提供装置における情報提示画面の一例を示す図である。
【図１０】本発明の第３実施形態に係る情報提供装置における情報提示画面の一例を示す図である。
【図１１】本発明の第４実施形態に係る情報提供装置における分類情報テーブル３１の一例を示す図である。
【図１２】本発明の第４実施形態に係る情報提供装置における情報提示画面の一例を示す図である。
【符号の説明】
１  情報取得部
２  情報分類部
３  分類情報管理部
４  関係情報管理部
５  情報提示部
２１  情報分類辞書
３１  分類情報テーブル
４１  情報関係辞書
４２  関係情報テーブル
５１  情報表示部
【図１】
2004178305.tif 000003
【図２】
2004178305.tif 000004
【図３】
2004178305.tif 000005
【図４】
2004178305.tif 000006
【図５】
2004178305.tif 000007
【図６】
2004178305.tif 000008
【図７】
2004178305.tif 000009
【図８】
2004178305.tif 000010
【図９】
2004178305.tif 000011
【図１０】
2004178305.tif 000012
【図１１】
2004178305.tif 000013
【図１２】
2004178305.tif 000014